(57)【要約】【課題】  デジタルカメラで、メモリ内の画像データを再生するときユーザの気に入った画像から自動的に再生されるようにする。【解決手段】  メモリ内に格納されている複数の画像データを表示画面に順に再生表示するときの画像再生順位決定方法において、前記表示画面に再生表示されたときの再生実績を示すデータをカウントして画像データ毎のカウント数を前記メモリ内（ファイルの欄１２，１３）に格納しておき、前記画像データを再生表示する場合には前記カウント数を参照して該カウント数の大きい画像データから順に再生表示する。カウント数の大きい画像データほどユーザが気に入って何回も、あるいは長時間再生した画像データと考えられる。【選択図】  図２
2005064852.tif 000002
【特許請求の範囲】
【請求項１】
メモリ内に格納されている複数の画像データを表示画面に順に再生表示するときの画像再生順位決定方法において、前記表示画面に再生表示されたときの再生実績を示すデータをカウントして画像データ毎のカウント数を前記メモリ内に格納しておき、前記画像データを再生表示する場合には前記カウント数を参照して該カウント数の大きい画像データから順に再生表示することを特徴とする画像再生順位決定方法。
【請求項２】
前記再生表示の順位を決定する前記カウント数として累積値を用いることを特徴とする請求項１に記載の画像再生順位決定方法。
【請求項３】
前記再生実績は、再生時間または再生回数であることを特徴とする請求項１または請求項２に記載の画像再生順位決定方法。
【請求項４】
被写体を撮像する撮像手段と、該撮像手段で撮像して得た前記被写体の画像データを格納するメモリと、該メモリ内に格納されている前記画像データが読み出されたとき該画像データを再生表示する表示手段とを備えるデジタルカメラにおいて、前記メモリ内の画像データが前記表示手段に再生表示されたとき再生実績データをカウントしてカウント数を該画像データ毎に前記メモリに保存すると共に前記メモリ内の画像データを前記表示手段に再生表示するとき前記カウント数を参照し該カウント数の大きい画像データから順に再生表示する再生順位決定手段とを備えることを特徴とするデジタルカメラ。
【請求項５】
前記再生表示の順位を決定する前記カウント数として累積値を用いることを特徴とする請求項４に記載のデジタルカメラ。
【請求項６】
前記再生実績は、再生時間または再生回数であることを特徴とする請求項４または請求項５に記載のデジタルカメラ。
【発明の詳細な説明】
【技術分野】
【０００１】
本発明はデジタルカメラ及び画像再生順位決定方法に係り、特に、画像の再生順位をユーザの気に入った画像順にすることができるデジタルカメラと画像再生順位決定方法に関する。
【背景技術】
【０００２】
デジタルスチルカメラや携帯電話機搭載のデジタルカメラは、メモリ容量の大容量化により、一枚のメモリカードに多数枚の画像を蓄積できる様になってきている。このため、メモリカード内に蓄積された撮影画像の整理が問題となっている。
【０００３】
そこで、下記特許文献１に記載された従来技術では、メモリカード内の撮影画像のリストデータを作成し、このリストデータを画面に表示することで、ユーザが各撮影画像を整理できるようにしている。
【０００４】
【特許文献１】特開２００２―５１２８０号公報
【発明の開示】
【発明が解決しようとする課題】
【０００５】
小さな表示画面しか搭載していないデジタルカメラでは、撮影の合間に撮影画像を再生させながら目的の画像を探す場合、一枚一枚の画像をファイル番号順に再生しなければならず、例えばプリントしようとする画像が何番のファイル番号の画像であるかを知るのに時間がかかってしまうという問題がある。
【０００６】
そこで、上記の従来技術の様に、撮影画像のリストデータの一覧を表示画面で確認できれば、便利である。しかし、デジタルカメラに搭載されている表示画面は小型なものが多く、画像ファイル名の他に、撮影日付や撮影時刻，撮影場所，優先度などの各種データが書き込まれたリストデータを表示画面に表示するのは困難であり、しかも画面を大きくスクロールさせないと見えないという問題がある。更に、携帯性が重視されるデジタルカメラでは、目的の画像を探すための操作が面倒になると、使い勝手が低下してしまうという問題が生じる。
【０００７】
本発明の目的は、ユーザが気に入った画像を面倒な操作無しに直ぐに再生することができるデジタルカメラと画像再生順位決定方法を提供することにある。
【課題を解決するための手段】
【０００８】
本発明の画像再生順位決定方法は、メモリ内に格納されている複数の画像データを表示画面に順に再生表示するときの画像再生順位決定方法において、前記表示画面に再生表示されたときの再生実績を示すデータをカウントして画像データ毎のカウント数を前記メモリ内に格納しておき、前記画像データを再生表示する場合には前記カウント数を参照して該カウント数の大きい画像データから順に再生表示することを特徴とする。
【０００９】
この構成により、ユーザが気に入って再生表示した実績の高い画像ほど表示優先順位が高くなり、面倒な操作無しにユーザの気に入った画像を自動決定することが可能となる。
【００１０】
本発明の画像再生順位決定方法は、前記再生表示の順位を決定する前記カウント数として累積値を用いることを特徴とする。この構成により、長期に渡る再生実績を再生順位の決定に反映させることができ、ユーザの好みを更に優先順位に反映させることが可能となる。
【００１１】
本発明の画像再生順位決定方法の前記再生実績は、再生時間または再生回数であることを特徴とする。この構成により、再生実績の計測が容易となる。
【００１２】
本発明のデジタルカメラは、被写体を撮像する撮像手段と、該撮像手段で撮像して得た前記被写体の画像データを格納するメモリと、該メモリ内に格納されている前記画像データが読み出されたとき該画像データを再生表示する表示手段とを備えるデジタルカメラにおいて、前記メモリ内の画像データが前記表示手段に再生表示されたとき再生実績データをカウントしてカウント数を該画像データ毎に前記メモリに保存すると共に前記メモリ内の画像データを前記表示手段に再生表示するとき前記カウント数を参照し該カウント数の大きい画像データから順に再生表示する再生順位決定手段とを備えることを特徴とする。
【００１３】
この構成により、ユーザが気に入って再生表示した実績の高い画像ほど表示優先順位が高くなり、面倒な操作無しにユーザの気に入った画像を自動決定することが可能となる。
【００１４】
本発明のデジタルカメラは、前記再生表示の順位を決定する前記カウント数として累積値を用いることを特徴とする。この構成により、長期に渡る再生実績を再生順位の決定に反映させることができ、ユーザの好みを更に優先順位に反映させることが可能となる。
【００１５】
本発明のデジタルカメラの前記再生実績は、再生時間または再生回数であることを特徴とする。この構成により、再生実績の計測が容易となる。
【発明の効果】
【００１６】
本発明によれば、ユーザの気に入った画像の優先順位が面倒な操作無しに自動的に決定されるため、デジタルカメラ等の使い勝手が向上する。
【発明を実施するための最良の形態】
【００１７】
以下、本発明の一実施形態について、図面を参照して説明する。
【００１８】
図１は、本発明の一実施形態に係るデジタルスチルカメラのブロック構成図である。このデジタルスチルカメラは、レンズ１と、レンズ１の背部に設けられ被写体の光学像を電気信号に変換する固体撮像素子（この例ではＣＣＤ）２と、固体撮像素子２から出力される被写体のアナログ画像信号をデジタル画像信号に変換するアナログデジタル変換器３と、画像信号に対して公知のガンマ変換処理や同時化処理，ＲＧＢ／ＹＣ変換処理等の信号処理を施して被写体の画像データを生成し更にこの画像データをＪＰＥＧ等の画像データに圧縮する信号処理部４とを備える。
【００１９】
デジタルカメラは更に、デジタルカメラを統括制御するＣＰＵ５と、主メモリ６と、上記のＪＰＥＧ等の画像データを外部メモリ７に格納したり外部メモリ７内の格納画像データを読み出す画像記録装置８と、デジタルカメラ背部等に搭載され被写体撮影時に生成された画像データや外部メモリ７の格納画像データを表示する液晶表示部９とを備える。アナログデジタル変換器３，信号処理部４，ＣＰＵ５，主メモリ６，画像記録装置８，液晶表示部９はバス１０によって相互に接続されている。
【００２０】
ＣＰＵ５は、計時機能を備えており、詳細は後述するように、外部メモリ７に格納されている撮影済みの画像データを再生して液晶表示部９に表示したとき、各画像データ毎の再生時間を計時する様になっている。また、外部メモリ７には、撮影済みの画像データにファイル番号が付けられて格納されると共に、後述の再生順位ファイルが自動生成され、格納される。
【００２１】
図２は、再生順位ファイルの構成図である。外部メモリ７に格納される画像データには、各画像データ毎に「ファイル番号．ＪＰＧ」なるファイル名が付けられており、再生順位ファイルには、このファイル番号（図示の例では、ＤＳＣＦ０００１，ＤＳＣＦ０００２，…）書込欄１１と、各ファイル番号対応に設けられた、前回再生時の再生時間書込欄１２及び再生蓄積時間書込欄１３が設けられている。
【００２２】
デジタルカメラで被写体を撮像し、未だ液晶表示部９に再生表示されていない場合には、各ファイル番号対応の再生時間書込欄１２のデータは全て「０秒」となっている。そして、ユーザがデジタルカメラを再生モードにして例えばファイル番号順に各画像データを再生したとき、各ファイル番号毎の再生時間が計時され、その再生時間が図２に示される様に、再生時間書込欄１２に書き込まれる。図示の例では、ファイル番号ＤＳＣＦ０００１の画像データが４秒間再生表示されたことを示し、ＤＳＣＦ０００４番の画像データが１３秒間再生表示されたことを示している。この時間は、ユーザがその画像を気に入ったか否かという目安になる。
【００２３】
本実施形態に係る再生順位ファイルには、再生蓄積時間書込欄１３も設けられており、例えばファイル番号ＤＳＣＦ０００１の画像データのそれまでの再生蓄積時間が４９秒であり、今回の再生時間が４秒のとき、両者を加算した「５３秒」というデータが欄１３に書き込まれる。この再生蓄積時間も、ユーザがその画像を気に入ったか否かを示す目安となる。
【００２４】
図３は、デジタルカメラを再生モードにして外部メモリ７内の撮影画像データを再生表示するときの処理手順を示すフローチャートである。このデジタルカメラには、再生モードとして３つのモードが設けられており、ユーザは予めいずれかのモードを指定しておく。
【００２５】
デジタルカメラが再生モードにされたとき、ＣＰＵ５は先ず、ユーザ指定の再生モードが、通常モードであるか、再生時間モードであるか、再生蓄積時間モードであるかを判定する（ステップＳ１）。
【００２６】
通常モードの場合にはステップＳ２に進み、ファイル番号順に画像データの再生順位♯ｎを決定し、決定した再生順位のデータを主メモリ６に一時格納しておく。この通常モードで決定される再生順位♯ｎのデータは、図２の例の場合、
♯１：ＤＳＣＦ０００１，
♯２：ＤＳＣＦ０００２，
♯３：ＤＳＣＦ０００３，
♯４：ＤＳＣＦ０００４，
♯５：ＤＳＣＦ０００５，
♯６：ＤＳＣＦ０００６
と決定される。
【００２７】
再生時間モードの場合にはステップＳ３に進み、前回再生時の再生時間順に再生順位♯ｎを決定し、決定した再生順位のデータを主メモリ６に一時格納しておく。この再生時間モードで決定される再生順位♯ｎのデータは、図２の例の場合、
♯１：ＤＳＣＦ０００４，
♯２：ＤＳＣＦ０００５，
♯３：ＤＳＣＦ０００２，
♯４：ＤＳＣＦ０００３，
♯５：ＤＳＣＦ０００１，
♯６：ＤＳＣＦ０００６
と決定される。再生時間が同じ画像データが複数あった場合には、それらの画像データはファイル番号順とする。
【００２８】
再生蓄積時間モードの場合にはステップＳ４に進み、再生蓄積時間順に再生順位♯ｎを決定し、決定した再生順位のデータを主メモリ６に一時格納しておく。この再生蓄積時間モードで決定される再生順位♯ｎのデータは、図２の例の場合、
♯１：ＤＳＣＦ０００３，
♯２：ＤＳＣＦ０００４，
♯３：ＤＳＣＦ０００１，
♯４：ＤＳＣＦ０００５，
♯５：ＤＳＣＦ０００２，
♯６：ＤＳＣＦ０００６
と決定される。再生蓄積時間が同じ画像データが複数あった場合には、それらの画像データはファイル番号順とする。
【００２９】
いずれかの再生モードで再生順位♯ｎが決定された後は、次のステップＳ５で変数ｎ＝１とおかれ、次のステップＳ６で、再生順位♯ｎ（今の場合は♯１）に対応するファイル番号が何番のファイル番号であるかを、主メモリ６上に一時格納されている再生順位のデータを検索して求める。そして、求めたファイル番号の画像データを外部メモリ７から読み出し、液晶表示部９に再生表示すると同時にＣＰＵ５の計時機能により再生時間をカウントする。
【００３０】
ステップＳ７では、ユーザから次の画像データの再生指示入力があったか否かを判定し、次の画像データの再生指示入力がない場合にはステップＳ６に戻って再生順位♯ｎ（＝♯１）の画像再生表示と再生時間の計時を継続する。
【００３１】
ステップＳ７で次の画像データの再生指示入力があったと判定した場合にはステップＳ８に進み、計時した時間データで♯ｎ（今の例では♯１）のファイル番号に対応する欄１２のデータを書き換え、更に、この計時した時間データを欄１３のデータに加算してステップＳ９に進む。
【００３２】
ステップＳ９では変数ｎ＝ｎ＋１とし、ステップＳ１０進み、全画像データ数分の画像データの再生表示が終了したか否かを判定し、終了したと判定した場合には再生モードを終了する。あるいは、終了したと判定した場合には、最初のステップＳ１に戻って再生モードを継続する。継続する場合には、ステップＳ３，Ｓ４において再度決定された再生順位♯ｎは、前回計時された再生時間が反映した再生順位となり、新たな再生順位のデータで主メモリ６上の前回の再生順位データを書き換える。
【００３３】
ステップＳ１０で全画像データ分の画像データの再生が終了していないと判定した場合には、上記のステップＳ６に進む。これにより、♯１の後に♯２のファイル番号に対応する画像データが液晶表示部９に再生表示され、同時に再生時間が計時される。以後、同様にしてステップＳ７，Ｓ８，Ｓ９，Ｓ１０，Ｓ６を繰り返す。
【００３４】
このように、本実施形態では、再生モードして、通常モードの他に、再生時間モードや再生蓄積時間モードを設けているため、ユーザは単に画像データを液晶表示部に再生表示させるという操作をするだけで、ユーザの気に入った画像データに順位が付けられるので、例えば、気に入った画像を選んでプリントするときの画像選択が速くなり、あるいは画像データを消去するか否かの判断が容易となる。
【００３５】
尚、図３の処理では、外部メモリ７に格納されている画像データを全て再生表示する場合を説明したが、全て再生する必要はなく、ユーザが任意のタイミングで再生モードの終了指示を入力したとき、再生モードは終了する。この場合でも、再生モード終了までに計時された再生時間は再生順位ファイルに反映される。
【００３６】
また、上述した実施形態では、再生時間モードと再生蓄積時間モードを設けたが、いずれか一方でもよく、また、「再生時間」ではなく「再生回数」を再生実績のデータとしてもよい。特に、画像データが動画像の場合には、再生回数を用いるのが良い。
【００３７】
更にまた、上記実施形態では、再生実績を示すデータ（上記の例では、再生時間データ，再生蓄積時間データ）をメモリ内に設けられた再生順位ファイルに纏めたが、各再生実績データを各画像データのタグ情報として格納しておき、再生モードに入ったとき、ＣＰＵ５が各画像データのタグ情報だけ最初に読み取って再生順位♯ｎを決定することでもよい。
【００３８】
尚、本実施形態では、デジタルカメラの画像再生順位決定方法として述べたが、パーソナルコンピュータ上のあるフォルダ内に格納されている複数の画像データを順に表示するビュアーソフトに上述した画像再生順位決定方法を適用することでもよい。
【産業上の利用可能性】
【００３９】
本発明に係る画像再生順位決定方法は、これをデジタルカメラの画像再生表示に適用することで、ユーザの気に入った画像を自動的に決定して優先表示することができるため、使い勝手が向上し、有用である。
【図面の簡単な説明】
【００４０】
【図１】本発明の一実施形態に係るデジタルカメラのブロック構成図である。
【図２】本発明の一実施形態に係るデジタルカメラの外部メモリ内に設定される再生順位ファイルの構成図である。
【図３】図１に示すＣＰＵが実行する画像再生順位決定方法の処理手順を示すフローチャートである。
【符号の説明】
【００４１】
５  ＣＰＵ
７  外部メモリ
９  液晶表示部
【図１】
2005064852.tif 000003
【図２】
2005064852.tif 000004
【図３】
2005064852.tif 000005